(57)【要約】【課題】  複数の信号を互いに独立させて同時に伝送する無線ＬＡＮ伝送装置において、通信状態がより良好なチャンネルに切り換わるように検索して行く際、複数の信号の系に係る通信周波数が重なり合って通信エラーが生じることを回避させることを目的とする。【解決手段】  一の系の通信状態がより良好なチャンネルを検索すると（Ｓ１）、他の系の伝送を一時停止させて一の系のチャンネルをＣ２〜Ｃ１３に検索を行って（同Ｓ２）通信状態がより良好であるチャンネルを捜し出し（Ｓ３）、一の系の伝送を行う（Ｓ４）。続いて、一の系で使用のチャンネルに周波数が最も離隔のチャンネルから（Ｓ５）より近接のチャンネルへと検索を行って（Ｓ６）、他の系で通信状態が最も良好なチャンネルが求め（Ｓ７）、その求めたチャンネルで他の系の伝送を行う（Ｓ８）。【選択図】  図２
2008177671.tif 000002
【特許請求の範囲】
【請求項１】
複数のチャンネルが備えられ、二以上の信号の系をそれら複数のチャンネルの中から任意に選んで割り当てて互いに独立した信号を同時に伝送し、且つ、それら二以上の系に係るチャンネルを通信状態がより良好なチャンネルに切り換えて行く構成の無線ＬＡＮ伝送装置において、
上記使用している二以上の系に係るチャンネルの中の一を通信状態がより良好なチャンネルに切り換えると、その切り換えと共に、その新たに切り換わるチャンネルに対して残りの系に係る使用中のチャンネルが混信となる場合には、それら残りの系の使用中のチャンネルをその混信を避け得る別のチャンネルに切り換え、更に、新しく切り換わった残りの系の使用中のチャンネルを、通信状態がより良好なチャンネルに切り換えるように制御する構成の無線ＬＡＮ伝送装置。
【請求項２】
複数のチャンネルに二以上の信号の系を任意に選んで割り当てて互いに独立した信号を同時に伝送している際に、二以上の信号の系のうちの一を通信状態がより良好なチャンネルに切り換えると、残りの系はその切り換わって使用されているチャンネルから最も周波数の離れたチャンネルに切り換わって割り当てられる構成の請求項１に記載の無線ＬＡＮ伝送装置。
【発明の詳細な説明】
【技術分野】
【０００１】
この発明は、例えば、音声信号をコードレスで伝送してスピーカから出力させるといった場合に、複数の使用可能なチャンネルの中から通信状態のより良好なチャンネルを選択し、そのチャンネルを使用して前記音声信号を伝送する無線ＬＡＮ伝送装置に関する。
特に、この発明は、複数のチャンネルを使って二以上の通信の系を同時に伝送する場合に、複数の使用可能なチャンネルの中から任意に選択して切り換えを行って通信状態のより良好なチャンネルを見付け出す際に発生しがちな混信障害（エラー）を回避する技術に関する。
【背景技術】
【０００２】
同一の無線ＬＡＮ伝送装置を用いて、例えばコードレスでスピーカの側に音声信号を伝送することとコンピュータ装置に係る信号を伝送することを同時に行うことが知られている。
つまり、唯一つの無線ＬＡＮ伝送装置を用いて、二つ以上の系の信号の伝送を同時に行うことが知られている。
【０００３】
斯かる信号の伝送では、使用可能なチャンネルの数が有限であって、その有限のチャンネルの中から使用するチャンネルを任意に選択し、当該信号の系をその選択したチャンネルに割り当てて使用している。
しかし、有限の数のチャンネル、つまり、使用可能な複数のチャンネルの中から任意に選択したチャンネルを使用する場合、その任意に選択したチャンネルが必ずしも良好な通信状態で信号の伝送を行うとは限らない。
【０００４】
そこで、無線ＬＡＮを使用して信号の伝送を行う場合には、まず使用可能な複数のチャンネルの中から任意のチャンネルを選択し、次に、通信状態がより良好なチャンネルを順次検索して最良のチャンネルを捜し、切り換えて使用するということが行われている。
この使用可能な複数のチャンネルから通信状態がより良好なチャンネルを順次検索して行き、最終的に通信状態が最良のチャンネルを見付け出して使用していく技術として、以下の文献が知られている。
【０００５】
【特許文献１】特開平８−１４９１１３号公報
【発明の開示】
【発明が解決しようとする課題】
【０００６】
特開平８−１４９１１３号公報で開示されている発明は、まず、複数のチャンネルについて予め優先度を設定し、最初に最優先となるチャンネルを選択する。ここで、その最優先のチャンネルを使用してエラーが発生して通信状態が良好でない場合には、優先度の順次下げて下位のチャンネルを選択して行き、エラーが発生しない信号の伝送つまり通信状態が良好であるチャンネルが見付かれば、そのチャンネルを使用する。
そして、このチャンネルの選択によってエラーを避け通信が成功する回数を記録（データとして蓄積）しておき、次回の信号の伝送の際に斯かる記録（データ）を通信状態がより良好なチャンネルの選択に反映させて自動的に最も良好なチャンネルを選択させるように制御を行う。
【０００７】
斯かる一連の作業によって、エラーを回避し、使用すべきチャンネルを効率良く求めるというものである。
さて、一つの無線ＬＡＮを用いて、例えばコードレススピーカシステムに係る音声信号とコンピュータ装置に係る信号を同時に伝送する際には、コードレススピーカシステムの信号伝送に使用しているチャンネルとコンピュータ装置に係る信号伝送に使用しているチャンネルが互いに重なり合い、通信エラーを発生する場合がある。
【０００８】
つまり、同時に二以上の系の信号を一つの無線ＬＡＮを介して伝送する場合には、それら二以上の系に係る信号を任意に選択したチャンネルに割り当てて伝送すると、使用する二以上のチャンネルの周波数が近い場合には、それら二以上のチャンネルが互いに重なり合って通信エラーを生じて良好な通信状態が得られないことがある。
殊に、無線ＬＡＮによる信号の伝送では、例えスタート初期においてコードレススピーカシステムの系に係るチャンネルとコンピュータ装置の信号に係るチャンネルを互いに重なり合うことのないように設定していても、信号の伝送時における通信状態をより良好な状態となるように他のチャンネルに切り換えて行く際に、当該二つのチャンネルが途中から重なり合って混信状態に陥る場合が生じる。
【０００９】
つまり、特開平８−１４９１１３号公報で開示の発明は、無線ＬＡＮを用いて唯一つのの信号を伝送する場合において良好な通信状態を得て行くには、効果的であって問題は生じない。
しかしながら、斯かる内容の発明を無線ＬＡＮを使用して複数の系の信号を伝送する場合に適応させて使用することを考えると、各信号の系がそれぞれ互いに独立してより良好な通信状態のチャンネルを検索することになり、その検索の際にそれら複数の信号の系同士で通信エラーを発生せさ、通信エラーの回避不能となって無線ＬＡＮによる信号の伝送そのものができなくなる場合が生じるという問題がある。
【００１０】
従って、斯かる場合では、通信状態がより良好なチャンネルを検索している際に通信エラーが生じて、次回以降のチャンネル検索のデータを得ることができない。
この発明は、上記の事情に鑑みてなされたものであり、一つの無線ＬＡＮを用いて同時に複数の信号を伝送し、且つ、それらの信号に係る系をそれぞれ通信状態がより良好なチャンネルに割り当てるように検索して行く際に、通信周波数が重なって混信の状態になるといった通信エラーが生じるということがなく、よって、通信エラーによって信号の伝送がダウンすることのない無線ＬＡＮ伝送装置を提供するものである。
【課題を解決するための手段】
【００１１】
この発明は、複数のチャンネルの中から二以上のチャンネルを使って二以上の系の信号の伝送を同時に行っていて、且つ、一の系のチャンネルを通信状態がより良好なチャンネルに選択して切り換えていく際に、その選択して切り換えられるチャンネルに対して残りの系のチャンネルを混信の生じないチャンネルに切り換えるように構成した無線ＬＡＮ伝送装置である。
その詳細な構成は、複数のチャンネルが備えられ、二以上の信号の系をそれら複数のチャンネルの中から任意に選んで割り当てて互いに独立した信号を同時に伝送し、且つ、それら二以上の系に係るチャンネルを通信状態がより良好なチャンネルに切り換えて行く構成の無線ＬＡＮ伝送装置において、
上記使用している二以上の系に係るチャンネルの中の一を通信状態がより良好なチャンネルに切り換えると、その切り換えと共に、その新たに切り換わるチャンネルに対して残りの系に係る使用中のチャンネルが混信となる場合には、それら残りの系の使用中のチャンネルをその混信を避け得る別のチャンネルに切り換え、更に、新しく切り換わった残りの系の使用中のチャンネルを、通信状態がより良好なチャンネルに切り換えるように制御する構成の無線ＬＡＮ伝送装置である。
【００１２】
尚、二以上の信号の系に対してのチャンネルの選択（割り当て）は具体的に、複数のチャンネルに二以上の信号の系を任意に選んで割り当てて互いに独立した信号を同時に伝送している際に、二以上の信号の系のうちの一を通信状態がより良好なチャンネルに切り換えると、残りの系はその切り換わって使用されているチャンネルから最も周波数の離れたチャンネルから順次切り換えていく方法が挙げられる。
又、二以上の信号の系に対してのチャンネルを切り換える際は、具体的に、より良好な通信状態を得るように最初にチャンネル切り換えを行う信号の系に対して、残りの信号の伝送を停止状態とさせ、こうすることによって最初にチャンネル切り換えを行う系は混信の生じない状態で通信状態がより良好なものを検索することが出来る。
【発明の効果】
【００１３】
この発明は、複数のチャンネルを備えその中から二以上のチャンネルを使用して二以上系の信号を伝送し、且つ、各使用しているチャンネルを通信状態のより良好なチャンネルに切り換える際、その切り換えられるチャンネルに対して残りの系のチャンネルを混信の生じないチャンネルに切り換えるように構成したことにより、信号の伝送に使用する各チャンネルの通信周波数が互いに重なって混信の状態になるといった通信エラーが生じるということがなく、よって、各信号の伝送に良好な通信状態が期待できる無線ＬＡＮ伝送装置である。
尚、一の信号の伝送に係るチャンネルを検索する際に、残りの信号の系をＯＦＦ状態にすることによって、前記一の信号の系に係るチャンネルの検索は他の系に係るチャンネルとの間で混信を極力抑えることが出来、その状態で最も良好な通信状態のチャンネルを探し出すことが可能になる。
【発明を実施するための最良の形態】
【００１４】
この発明を、図面に示す実施をするための最良の形態に基づき詳述する。しかし、この形態によって、この発明が限定されるものではない。
無線ＬＡＮ伝送装置１は、ＩＥＥＥ８０２．１１ｂの規格に準じた周波数チャンネルを使用し、１〜１４チャンネル（Ｃ１〜Ｃ１４であると置き、このチャンネルの順序で周波数が等差的に大きくなるとする）に周波数が割り当てられているものとする。
【００１５】
尚、これは現行の規格内容であって、今後の変更によってチャンネルの数が変更し、よって、混信の生じるチャンネル同士の周波数が変わる場合も考えられる。
又、各チャンネルの周波数及び隣接する周波数の差異も現行の規格内容の通りであり、
その規格内容に準じて説明を進める。
【００１６】
無線ＬＡＮ伝送装置１は、図１に示すように、送信側において、通信ユニット２と、マイコン３と、メモリ４と、データバス５と、受信側において、通信ユニット６と、マイコン７と、データバス８が備えられている。
通信ユニット２は、通信ユニット６共に無線ＬＡＮのデータ伝送系を構成するものであり、アンテナ（図示省略）が備えられ、ＤＶＤプレーヤ９からの映像・音声に係るデータ信号とコンピュータＡからのデータ信号を通信ユニット６に送信するものである。
【００１７】
マイコン３は、ＤＶＤプレーヤ９からの映像・音声に係るデータとコンピュータＡ１０からのデータ信号を通信ユニット２から信号によって送出するように制御を行うものである。
マイコン３は、更に、メモリ４に記憶されているデータに基づいて、通信ユニット２と通信ユニット６の間の無線通信で使用するチャンネルの検索・設定を行うものである。
具体的には、一の系の信号伝送チャンネルとしてＣ８を選択すると、マイコン３はメモリ４に記憶されている通信状態の良好なチャンネル同士の組み合わせの順位若しくはチャンネルＣ１〜Ｃ１４の各周波数に基づいて、周波数の差異が大きく最も混信が生じ難いチャンネルとしてＣ１を決定する。
【００１８】
又、メモリ４は、通信ユニット２から通信ユニット６にデータ信号を送る際に、通信状態がより良好となるチャンネルを検索するための検索順序が記憶されている。
メモリ４は、上述したように、通信ユニット２から通信ユニット６に二以上のデータ信号を送る際に、使用の対応する二以上のチャンネル同士で通信状態が不良となり易いチャンネル同士の組み合わせ或いは不良となり難い組み合わせの順位が記憶されている。
【００１９】
データバス５は、ＤＶＤプレーヤ９からの映像・音声に係るデータ信号及びコンピュータＡ１０からのデータ信号を通信ユニット２に送るためのものである。
尚、ＤＶＤプレーヤ９は、ＤＶＤ記録媒体を再生して映像と音声に係るデータを信号で出力するものであり、コンピュータＡ１０は所望の演算を行った後にその演算の結果（データ）を信号で出力するものである。
【００２０】
通信ユニット６は、アンテナ（図示省略）が備えられ、通信ユニット２からのＤＶＤプレーヤ９からの映像・音声に係るデータ信号及びコンピュータＡからのデータ信号を受信するものである。
又、その受信においてマイコン７が当該受信の通信状態が不良であると判断すると、マイコン７からの制御信号を受けて、通信ユニット６は現在使用しているチャンネルを介しての信号の通信状態は良好でないという旨を通信ユニット２に送るものである。
【００２１】
マイコン７は、上述した受信状態の判断・対応に加えて、映像・音声出力手段１１及びコンピュータＢ１２の機能を制御するものである。
尚、映像・音声出力手段１１は、映像パネル、スピーカ、それらのドライブ手段等が備えられ、ＤＶＤプレーヤ９からのデータ信号に基づいて、映像と音声を再生出力するものである。又、コンピュータＢ１２は、コンピュータＡ１０から伝送されて来る信号の演算結果（データ）に基づいて、更なる演算処理を行うものである。
【００２２】
無線ＬＡＮ伝送装置１は、上述したように構成されている。以下において、無線ＬＡＮ伝送装置１の機能を説明する。
ユーザーは、送信側のデータバス５にＤＶＤプレーヤ９及びコンピュータＡを、受信側のデータバス８に映像・音声出力手段１１及びコンピュータＢを、所定通りにそれぞれ接続する。
ここで、ＤＶＤプレーヤ９及びコンピュータＡはマイコン３に、映像・音声出力手段１１及びコンピュータＢはマイコン７にそれぞれ接続されている。
【００２３】
ユーザーは、マイコン３を介して、ＤＶＤプレーヤ９からのデータ信号を通信ユニット２からチャンネルＣ１を介して通信ユニット６に対し送信する。
続いて、ユーザーは、マイコン３を介して、コンピュータＡ１０からのデータ信号を通信ユニット２からチャンネルＣ１４を介して通信ユニット６に対し送信する。
尚、この通信開始の初期の状態においては、マイコン３は、ＤＶＤプレーヤ９からのデータ信号を送る系に使用しているチャンネルとコンピュータＡ１０からのデータ信号を伝送する系に使用しているチャンネルＣ１４を予め選択し、通信時にそれら二つの系で混信の問題が生じることのないチャンネルの組み合わせを選択するように機能する。
【００２４】
又、三以上の系の信号を同時に送信する場合では、マイコン３は、各チャンネルの周波数が互いに最も離隔した状態が得られるようにチャンネルを割り当てるように機能する。
ここで、通信ユニット６は、通信ユニット２を介し且つチャンネルＣ１が使用されて送られて来たＤＶＤプレーヤ９からのデータ信号を受け取るが、その時の通信状態はマイコン７に送られる。
【００２５】
ここで、マイコン７は、ＤＶＤプレーヤ９からのデータ信号の伝送に使われているチャンネルＣ１はコンピュータＡ１０からのデータ信号の伝送に使われているチャンネルＣ１４に対して周波数が最も離隔しているので、混信が生じることに対しては最良の状態にあると判断する。
次に、マイコン７は、通信ユニット２から伝送されたＤＶＤプレーヤ９のデータ信号の通信ユニット６の受信状態が正常に行われているか否かの判断を行う。ここで、通信ユニット６の受信状態が正常で問題がなければ、ユーザーが所望することによってＤＶＤプレーヤ９のデータ信号の伝送について通信状態のより良好なチャンネルを検索する必要はなくこのチャンネル状態で無線ＬＡＮ伝送装置１を使い続けることになる。
【００２６】
他方、マイコン７が、通信ユニット６が受け取ったＤＶＤプレーヤ９からのデータ信号に係る通信状態が正常ではないと判断したり、内蔵のプログラムのシーケンス制御に基づいて通信状態がより良好なチャンネルを検索するように機能すると（図２のＳ１）、その旨が通信ユニット６から通信ユニット２を介して、マイコン３に送られる。
ここで、マイコン３は、コンピュータＡ１０からのデータ信号の伝送を一時停止するように制御を行い、且つ、ＤＶＤプレーヤ９のデータ信号を伝送する系のチャンネルをＣ２〜Ｃ１３に対して検索を開始させる（同Ｓ２）。
【００２７】
ＤＶＤプレーヤ９のデータ信号を伝送する系について、通信ユニット２から通信ユニット６への通信の状態がより良好であるチャンネルを捜すように、通信ユニット６は通信ユニット２に対して通信状態がより良好なチャンネルを検索するためのリクエスト信号を送る（Ｓ３）。
通信ユニット２が通信ユニット６からのリクエスト信号を受信してその旨をマイコン３に伝えると、マイコン３はメモリ４からのデータを読み出して、ＤＶＤプレーヤ９からのデータ信号の伝送の系に割り当てるべき新たなチャンネルを検索すると共に、この新たに割り当てるべきチャンネルに対して通信状態に混信の問題を生じさせることのないチャンネルを残りのチャンネルの中から選び出してコンピュータＡ１０からのデータ信号の伝送の系に割り当てるためにメモリ４に書き換え記憶させる。
【００２８】
ここで、ＤＶＤプレーヤ９からのデータ信号の伝送の系に割り当てた新たなチャンネルによって最も良好な通信状態を得られてそのチャンネルが求められると、マイコン３はその旨をマイコン７からの信号に基づいて報知され、ＤＶＤプレーヤ９からのデータ信号の伝送の系に割り当てるべきチャンネルの検索を終了し、そのチャンネルを介してＤＶＤプレーヤ９からのデータ信号を伝送開始する（Ｓ４）。
マイコン３は、続いて、ＤＶＤプレーヤ９からのデータ信号の伝送の系に使用されているチャンネルに対して周波数が最も離隔の状態にあるチャンネルをメモリ４から呼び出し、そのチャンネルから通信状態がより良好なチャンネルを検索するように機能する。
【００２９】
尚、マイコン３はこの検索において、ＤＶＤプレーヤ９からのデータ信号の伝送に使用されているチャンネルに対して周波数が最も離隔チャンネルから始めて（Ｓ５）、周波数がより近接するチャンネルへとチャンネルの切り換え制御を行う（Ｓ６）。
ここで、コンピュータＡ１０からのデータ信号の伝送の系に割り当てた新たなチャンネルによって最も良好な通信状態を得られてそのチャンネルが求められると（Ｓ７）、マイコン３はその旨をマイコン７からの信号に基づいて報知され、コンピュータＡ１０からのデータ信号の伝送の系に割り当てるべきチャンネルの検索を終了し、そのチャンネルを介してコンピュータＡ１０からのデータ信号を伝送開始する（Ｓ８）。
【００３０】
ここで、ＤＶＤプレーヤ９からのデータ信号の伝送のチャンネルとコンピュータＡ１０からのデータ信号の伝送のチャンネルは、上述したプロセスによって得られた現時点での良好な通信状態において周波数が互いに最も離隔しており、二つの系に切り換えて割り当てるべきチャンネルの検索は終了している（Ｓ９）。
無線ＬＡＮ伝送装置１は、上述したように、二つのデータ信号を異なる系としてそれぞれを１４のチャンネルの中から選択し割り当てて伝送し、通信状態のより良好なチャンネルに切り換えて検索を行っていく際に、一の系のチャンネルに対して他の系のチャンネルが混信を生じさせないチャンネルに切り換え、且つ、一の系のチャンネルの検索・割り当てを終えた後に、その割り当てられた一の系のチャンネルと混信が生じ合うことのより少ないチャンネルの中から他の系のチャンネルを検索・割り当てを行う構成であることから、二つのデータ信号を同時に独立して伝送して通信状態のより良好なチャンネルを検索・切り換える際に、混信状態が生じたり、通信状態のより良好なチャンネルを求めて検索を行い却って通信エラーが起きるといった問題は生じない。
【００３１】
無線ＬＡＮ伝送装置１は、１４チャンネルの中から二つのデータ信号の系を送信する構成であるが、備えられている全てのチャンネルの数は１４以外であってもよく、伝送すべきデータ信号の系の数は３以上であってもよい。
尚、伝送すべきデータ信号の系の数が３以上である場合には、具体的には、一の系を除いた残り全ての系の伝送を停止させた状態で一の系のチャンネルを求め、次に、二の系を除いた残り全ての系の伝送を停止させた状態で既に選択されている一の系のチャンネルから周波数が離隔して遠いチャンネルに検索を行って二の系のチャンネルを求め、続いて、三の系を除いた残り全ての系の伝送を停止させた状態で一の系のチャンネルと二の系のチャンネルから周波数が相対的に遠いチャンネルから検索を行って三の系を求め、更に、四の系以降のチャンネルは三の系のチャンネルを求めるのと同様にして求めるという方法が挙げられる。そして、この場合の検索のシーケンス制御のプログラムは、メモリ４に記憶させることが可能である。
【００３２】
無線ＬＡＮ伝送装置１は、データバス５にＤＶＤプレーヤ５及びコンピュータＡ１０が接続されているが、例えばＣＤプレーヤ、レシーバ等の他のデータ信号の出力機器であってもよく、それに合わせてデータバス８に接続されるデータ信号の再生機器を適宜接続するのがよい。
無線ＬＡＮ伝送装置１は、一方のデータ信号の系に係るチャンネルを検索する際に、他方のデータ信号の系の伝送を停止させて切り換えの対象となるチャンネルを待機させる構成であるが、他方のデータ信号の系に係るチャンネルも混信等の生じることのない周波数が最も離隔したチャンネルに同時に切り換わる構成であってもよい。
【図面の簡単な説明】
【００３３】
【図１】この発明の実施の形態に、送信側にＤＶＤプレーヤ及びコンピュータＡを、受信側に映像・音声出力手段及びコンピュータＢを接続した状態の構成を示すブロック図である。
【図２】図１に示す形態の要部機能を説明するフローチャートである。
【符号の説明】
【００３４】
１        ：無線ＬＡＮ伝送装置
２，６    ：通信ユニット
３，７    ：マイコン
４        ：メモリ
５，８    ：データバス
９        ：ＤＶＤプレーヤ（伝送信号の発生源）
１０      ：コンピュータＡ（伝送信号の発生源）
【図１】
2008177671.tif 000003
【図２】
2008177671.tif 000004